(57)【特許請求の範囲】
【請求項１】
磁気テープをテープカートリッジから引き出す際、磁気テープの一端に取り付けられたリーダピンをリーダブロックで保持する磁気記録／再生装置におけるリーダピン保持機構において、前記リーダブロックに、前記リーダピンを掴む鈎部を設け、前記鈎部入口を開放及び封鎖する開閉式のリーダブロックドアを支持し、前記リーダピンは前記鈎部内において荷重を受けずに保持されることを特徴とする磁気記録／再生装置におけるリーダピン保持機構。
【請求項２】
前記リーダブロックドアは前記リーダブロックに対して回転自在に支持され、前記鈎部入口を封鎖する方向にリーダブロックバネにより付勢されていることを特徴とする請求項１に記載の磁気記録／再生装置におけるリーダピン保持機構。
【請求項３】
前記リーダブロックドアは前記リーダブロックに対して端部か固定されたバネ性を持った板状体であり、前記鈎部入口を封鎖する方向に付勢されていることを特徴とする請求項１に記載の磁気記録／再生装置におけるリーダピン保持機構。
【請求項４】
前記リーダブロックドアは折曲されていることを特徴とする請求項３に記載の磁気記録／再生装置におけるリーダピン保持機構。
【請求項５】
前記リーダブロックと前記リーダブロックドアは、前記テープカートリッジを装填するベースに取り付けられている可動アームに回転自在に支持されていることを特徴とする請求項１又は２に記載の磁気記録／再生装置におけるリーダピン保持機構。
【発明の詳細な説明】
【０００１】
【発明の属する技術分野】
本発明は、磁気テープを用いて磁気記録／再生を行う装置において、テープカートリッジを装填して磁気テープをテープカートリッジから引き出す際、磁気テープの一端に取り付けられたリーダピンをリーダブロックで保持するリーダピン保持機構に関する。
【０００２】
【従来の技術】
従来、磁気テープを用いて磁気記録／再生を行う装置において、テープカートリッジを装填して磁気テープをテープカートリッジから引き出す際、磁気テープの一端に取り付けられたリーダピンをリーダブロックで保持するリーダピン保持機構が知られている。例えば、特開２００１−１３５００３号公報に見られるように、リーダピン保持機構において、リーダブロックにおいてリーダピンの保持力を高めた技術が記載されている。図７は、リーダピン保持機構の異なる方向から見た斜視図であり、リーダブロック８０にバネ８１が取り付けられている。
テープカートリッジを装填する際、磁気テープのリーダピンがリーダブロック８０の鈎部８０ａに入ると、バネ８１によってリーダピンがリーダブロック８０に押しつけられ、保持力を高めることができる。
【０００３】
【発明が解決しようとする課題】
しかし、この従来の技術のリーダピン保持機構には、次のような問題点があった。
【０００４】
第一に、リーダピンの挿入と排出を繰り返し行うとリーダブロックが破損する。その理由は、リーダブロックの鈎部は、リーダピンの形状から薄くしなければならず、リーダピンをバネによりリーダブロックに押しつけるために、リーダピンの挿入時に摩耗が生じリーダブロックが削れるからである。
【０００５】
第二に、リーダピンの挿入と排出を繰り返すと磁気テープにデータを記録することができなくなることがある。その理由は、摩耗によって発生した塵が磁気テープに付着すると、塵がヘッドによって磁気テープにデータを記録することを妨げるからである。
【０００６】
本発明の目的は、摩耗による部品の劣化や発塵を防ぎ、リーダピンを確実にリーダブロックに保持する磁気記録／再生装置におけるリーダピン保持機構を提供することである。
【０００７】
【課題を解決するための手段】
上記の課題を解決するため本発明は、磁気テープをテープカートリッジから引き出す際、磁気テープの一端に取り付けられたリーダピンをリーダブロックで保持する磁気記録／再生装置におけるリーダピン保持機構において、前記リーダブロックに、前記リーダピンを掴む鈎部を設け、前記鈎部入口を開放及び封鎖する開閉式のリーダブロックドアを支持し、前記リーダピンは前記鈎部内において荷重を受けずに保持されている。
【０００９】
【発明の実施の形態】
以下、本発明の実施の形態について図面を用いて説明する。
【００１０】
［実施形態１］
図１は、本発明の実施形態１における磁気記録／再生装置の平面図（ａ）及び正面図（ｂ）である。磁気記録／再生装置は、テープカートリッジ５０を装填するベース１に、磁気テープの情報を読み書きするヘッド２、磁気テープ５０ｂを巻き取るためのリール３、磁気テープ５０ｂをガイドする磁気テープガイド４、及び磁気テープ５０ｂをテープカートリッジ５０から引き出すための可動アーム５を有す。
【００１１】
図２は、テープカートリッジ５０の平面図（ａ）及び正面図（ｂ）である。テープカートリッジ５０には磁気記録を書き込む磁気テープ５０ｂが収納され、テープ５０ｂの先端にはテープカートリッジ５０から引き出すためのリーダピン５０ａが取り付けられている。
【００１２】
図３は、リーダピン保持機構の平面図（ａ）及び正面図（ｂ）である。リーダピン保持機構の構成である。可動アーム５はアームシャフト５ａを持ち、アームシャフト５ａには、リーダブロック１０、リーダブロックドア１１が回転自在に支持されている。すなわち、リーダブロックドア１１は、リーダブロック１０に間接的に支持されている。アームシャフト５ａにはリーダブロックバネ１２が取り付けられており、リーダブロックバネ１２は、その足がそれぞれリーダブロック１０とドアポスト１１ａに接触しており、矢印Ａ方向にリーダブロックドア１１を付勢している。リーダブロック１０には、リーダピン５０ａを掴むための鈎部１０ａが上下両側に備わっており、リーダブロック１０の下側にはリーダブロックポスト１０ｂが備わっている。
【００１３】
なお、リーダブロックバネ１２は、リーダブロック１０とリーダブロックドア１１に直接架け渡すようにしてもよい。
【００１４】
図１を参照すると、リーダブロックポスト１０ｂをガイドし、リーダブロック１０を回転させるためのロテータ２１がベース１に回転自在に取り付けられており、その上側にはリーダブロックストッパ２０が取り付けられている。リーダブロックストッパ２０にはドアガイド２０ａが備わっており、リーダブロック１０がロテータ２１に入ったとき、リーダブロックドア１１はドアガイド２０ａに従って動く。
【００１５】
次に、実施形態１についての動作を説明する。
【００１６】
図４は、リーダピン保持機構の動作を示す図である。テープカートリッジ５０がベース１に装填されると、（ａ）の状態から不図示の方法で動かされた可動アーム５にともなってリーダブロック１０とリーダブロックドア１１が動き、リーダブロックポスト１０ｂはロテータ２１内に入って（ｂ）の状態となり、ロテータ２１の向きに従ってテープカートリッジ５０内に挿入され、（ｃ）の状態となる。このとき、リーダブロックドア１１は、ドアポスト１１ａがドアガイド２０ａにガイドされ、リーダブロックドア１１はリーダブロック１０から離れ、開いた状態となり、このとき鈎部１０ａは開放されている。次にロテータ２１が不図示の方法で回転し、ロテータ２１がリーダブロックポスト１０ｂを押すことによって、リーダブロック１０は回転し、鈎部１０ａにリーダピン５０ａが入り（ｄ）の状態となる。同時に、リーダブロックドア１１が閉まり、リーダピン５０ａを、鈎部１０ａに封鎖する。次に、可動アーム５によってリーダブロック１０が動かされ、同時に鈎部１０ａに入ったリーダピン５０ａとテープ５０ｂが引き出され（ｅ）の状態となる。このとき、リーダブロックドア１１は、リーダブロックバネ１２によってリーダブロック１０に押しつけられ、リーダピン５０ａを確実に保持する。このときリーダピン５０ａは、鈎部１０ａ内において荷重を受けていない。テープ５０ｂをテープカートリッジ５０に戻すときは、可動アーム５とともにリーダブロック１０は、（ｅ）（ｄ）（ｃ）（ｂ）（ａ）のように動き、リーダピン５０ａはテープカートリッジ５０内に戻る。
【００１７】
［実施形態２］
図５は、本発明の実施形態２におけるリーダピン保持機構の平面図（ａ）、正面図（ｂ）、裏面図（ｃ）、及び側面図（ｄ）である。リーダブロック７０には、金属又は樹脂製のバネ性を持った板状体のリーダブロックドア７１が端部で固定して支持され、リーダブロックドア７１は鈎部７０ａの入口を遮っている。この板状のリーダブロックドア７１は、適宜折曲してもよい。リーダブロックポスト７０ｂがリーダブロック７０に設けられ、ドアポスト７１ａがリーダブロックドア７１に設けられている。図６は、リーダピン保持機構の動作を示す図であり、リーダブロック７０がロテータ７２に進入したときに、ドアポスト７１ａは壁７２ａに接触し、リーダブロックドア７１は変形して、鈎部７０ａの入口を解放する。これによりリーダブロックがリーダピンを掴むときには鈎部入口が開き、摩耗を発生すること無しにリーダピンを収容できる。また、この実施形態は、部品点数を少なくできるという新たな効果を持つ。
【００１８】
【発明の効果】
第一の効果は、リーダピンを確実にリーダブロックに収容することができることである。これにより、テープを引き出している最中にテープが緩んでもリーダピンを保持し続けることができ、装置としての信頼性が向上する。
【００１９】
第二の効果は、リーダピンをリーダブロック鈎部に着脱するとき、リーダピンに荷重を与えないことである。これにより、摩耗による部品の劣化や発塵を防ぎ、かつ、リーダピンを保持しやすくなり、信頼性が向上する。
【図面の簡単な説明】
【図１】本発明の実施形態１における磁気記録／再生装置の平面図（ａ）及び正面図（ｂ）である。
【図２】本発明におけるテープカートリッジ５０の平面図（ａ）及び正面図（ｂ）である。
【図３】本発明の実施形態１におけるリーダピン保持機構の平面図（ａ）及び正面図（ｂ）である。
【図４】本発明の実施形態１におけるリーダピン保持機構の動作を示す図である。
【図５】本発明の実施形態２におけるリーダピン保持機構の平面図（ａ）、正面図（ｂ）、裏面図（ｃ）、及び側面図（ｄ）である。
【図６】本発明の実施形態２におけるリーダピン保持機構の動作を示す図である。
【図７】従来の技術におけるリーダピン保持機構の異なる方向から見た斜視図である。
【符号の説明】
１  ベース
２  ヘッド
３  リール
５  可動アーム
１０  リーダブロック
１０ａ  鈎部
１１  リーダブロックドア
１２  リーダブロックバネ
１１ａ  ドアポスト
２１  ロテータ
５０ｂ  テープ
５０ａ  リーダピン
５０  テープカートリッジ
７０  リーダブロック
７０ａ  鈎部
７１  リーダブロックドア
７１ａ  ドアポスト
７２  ロテータ
【図１】
0003734165.tif 000002
【図２】
0003734165.tif 000003
【図３】
0003734165.tif 000004
【図４】
0003734165.tif 000005
【図５】
0003734165.tif 000006
【図６】
0003734165.tif 000007
【図７】
0003734165.tif 000008